(57)【要約】【課題】信頼性を向上させることができるスピーカ装置を提供する。【解決手段】スピーカ装置１００は、ボイスコイル４を巻回するボイスコイルボビン４Ｂと、振動板５と、振動板５による放音方向と交差する方向に伸びている外周側端部７ｂを有するエッジ７と、ボイスコイルボビン４Ｂに内周側端部が固着されたダンパ６と、平坦部８ａを有するフレーム８とを有する。ダンパ６は、蛇腹部６ａと、振動板５の方向に立ち上げた立ち上げ部６ｂと、放音方向と交差する方向に伸びている折り曲げ部６ｃとを有する。外周側端部７ｂと折り曲げ部６ｃとは、接着剤によって平坦部８ａに固着されている。【選択図】図１
2017112410.tif 000002
【特許請求の範囲】
【請求項１】
ボイスコイルを巻回するボイスコイルボビンと、
前記ボイスコイルボビンに内周側端部が固着されている振動板と、
前記振動板の外周側端部に内周側端部が固着され、前記振動板による放音方向と交差する方向に伸びている外周側端部を有するエッジと、
前記ボイスコイルボビンに内周側端部が固着され、内周側に位置する蛇腹部と、前記蛇腹部より外周側に位置し、前記蛇腹部の端部から前記振動板の方向に立ち上げた立ち上げ部と、前記立ち上げ部より外周側に位置し、前記放音方向と交差する方向に伸びている折り曲げ部とを有するダンパと、
前記放音方向と交差する方向に伸びており、前記外周側端部と前記折り曲げ部とが接着剤によって固着されている平坦部を有するフレームと、
を備えることを特徴とするスピーカ装置。
【請求項２】
前記放音方向側から前記放音方向とは反対方向側へと伸びる突出部を有し、前記ボイスコイルボビンと、前記振動板と、前記エッジと、前記ダンパと、前記フレームとを収納するケースをさらに備え、
前記突出部と前記平坦部とが、前記外周側端部と前記折り曲げ部とを挟んでいる
ことを特徴とする請求項１に記載のスピーカ装置。
【発明の詳細な説明】
【技術分野】
【０００１】
本発明は、信頼性を向上させることができるスピーカ装置に関する。
【背景技術】
【０００２】
スピーカ装置は、複数の部品が接着剤によって互いに固着されて構成されている。スピーカ装置を長時間動作させるとスピーカ装置の温度は上昇する。スピーカ装置は高温となる環境下で使用されることがあり、外部環境によってスピーカ装置の温度が上昇することもある。
【先行技術文献】
【特許文献】
【０００３】
【特許文献１】特開平８−１１６５８９号公報
【発明の概要】
【発明が解決しようとする課題】
【０００４】
スピーカ装置を構成する部品の１つとして、ボイスコイルボビンとフレームとを連結するダンパがある。ダンパの一方の端部と他方の端部はそれぞれ接着剤によってボイスコイルボビンとフレームとに接着されている。
【０００５】
スピーカ装置の温度が上昇すると、ダンパとフレームとを接着している接着剤が劣化してダンパとフレームとの固着箇所が破損し、スピーカ装置が使用不可の状態となることがある。スピーカ装置の温度が上昇してもダンパとフレームとの固着箇所の破損を防ぎ、スピーカ装置の信頼性を向上させることが求められる。
【０００６】
本発明は、信頼性を向上させることができるスピーカ装置を提供することを目的とする。
【課題を解決するための手段】
【０００７】
本発明は、上述した従来の技術の課題を解決するため、ボイスコイルを巻回するボイスコイルボビンと、前記ボイスコイルボビンに内周側端部が固着されている振動板と、前記振動板の外周側端部に内周側端部が固着され、前記振動板による放音方向と交差する方向に伸びている外周側端部を有するエッジと、前記ボイスコイルボビンに内周側端部が固着され、内周側に位置する蛇腹部と、前記蛇腹部より外周側に位置し、前記蛇腹部の端部から前記振動板の方向に立ち上げた立ち上げ部と、前記立ち上げ部より外周側に位置し、前記放音方向と交差する方向に伸びている折り曲げ部とを有するダンパと、前記放音方向と交差する方向に伸びており、前記外周側端部と前記折り曲げ部とが接着剤によって固着されている平坦部を有するフレームとを備えることを特徴とするスピーカ装置を提供する。
【発明の効果】
【０００８】
本発明のスピーカ装置によれば、信頼性を向上させることができる。
【図面の簡単な説明】
【０００９】
【図１】一実施形態のスピーカ装置を示す断面図である。
【図２】一実施形態のスピーカ装置の部分拡大断面図である。
【発明を実施するための形態】
【００１０】
以下、一実施形態のスピーカ装置について、添付図面を参照して説明する。図１は、一実施形態のスピーカ装置１００の全体的な構成を示している。
【００１１】
図１において、断面Ｕ字状のヨーク１は、円形の底面部１ａと、底面部１ａの周囲を周状に囲む側面部１ｂとを有する。ヨーク１は、鉄等の金属によって形成されている。底面部１ａ上には、円形のマグネット２が固着されており、マグネット２上には円形のトッププレート３が固着されている。トッププレート３は、鉄等の金属によって形成されている。
【００１２】
ヨーク１の側面部１ｂと、マグネット２及びトッププレート３との間には、所定の距離の間隙が設けられている。
【００１３】
側面部１ｂとマグネット２及びトッププレート３との間の間隙には、円筒状のボイスコイルボビン４Ｂの下方の部分が挿入されている。ボイスコイルボビン４Ｂは、例えばプラスチック樹脂によって形成されている。ボイスコイルボビン４Ｂの下方の部分には、例えば銅線であるボイスコイル４が巻回されている。
【００１４】
ボイスコイル４に音声信号が供給されていない状態で、ボイスコイルボビン４Ｂの下端部は、マグネット２の上端部と対向している。ボイスコイル４に音声信号が供給されていない状態で、ボイスコイル４は、側面部１ｂとトッププレート３との間に位置している。
【００１５】
ヨーク１と、マグネット２と、トッププレート３と、ボイスコイル４とは、磁気回路を構成している。
【００１６】
ボイスコイルボビン４Ｂの上端部近傍には、振動板５の内周側端部が固着されている。振動板５は、紙、プラスチック樹脂、木、金属、炭素繊維等のいずれかによって形成されている。
【００１７】
振動板５の外周側端部には、エッジ７の内周側端部が固着されている。エッジ７は、断面半円形状の湾曲部７ａと、湾曲部７ａより外周側に位置する外周側端部７ｂとを有する。外周側端部７ｂは、振動板５から音が放出される放音方向と交差（直交）する方向に伸びている。図１の上方向が放音方向である。エッジ７は、例えば合成樹脂（ゴム）や繊維（布）によって形成されている。
【００１８】
ボイスコイルボビン４Ｂの中間部には、ダンパ６の内周側端部が例えばアクリル系接着剤によって固着されている。ボイスコイルボビン４Ｂとダンパ６の内周側端部との接合部はアクリル系接着剤によって塗り固められており、ボイスコイルボビン４Ｂに対するダンパ６の固着箇所は温度が上昇しても劣化による損傷が比較的少ない。
【００１９】
ダンパ６は、内周側に位置する蛇腹状に形成された蛇腹部６ａと、蛇腹部６ａより外周側に位置し、蛇腹部６ａの外周側端部から上方へと向かう立ち上げ部６ｂと、立ち上げ部６ｂより外周側に位置する折り曲げ部６ｃとを有する。折り曲げ部６ｃは、放音方向と交差（直交）する方向に伸びている。ダンパ６は、例えばプラスチック樹脂によって形成されている。
【００２０】
エッジ７の外周側端部７ｂと、ダンパ６の折り曲げ部６ｃとは、後に詳述するように、金属製のフレーム８の上端部近傍に形成された平坦部８ａに固着されている。平坦部８ａは、放音方向と交差（直交）する方向に伸びており、フランジ状に形成されている。
【００２１】
フレーム８の下端部には、平坦部８ｂが形成されている。平坦部８ｂも、放音方向と交差（直交）するようにフランジ状に形成されている。図示されていないが、フレーム８の平坦部８ａ，８ｂ間の中間部８ｃには、周方向に所定の間隔で複数の開口が形成されている。
【００２２】
平坦部８ｂの内周側端部は、ヨーク１の上端部に形成した切り欠き部１ｃに突き当てられている。
【００２３】
振動板５の中央部にはセンターキャップ９が固着されており、振動板５の中央に形成された円形の開口を塞いでいる。センターキャップ９は、例えばプラスチック樹脂によって形成されている。
【００２４】
ボイスコイル４に音声信号が供給されると、ボイスコイルボビン４Ｂが上下方向に振動し、ボイスコイルボビン４Ｂの振動に伴って振動板５が振動する。これによって、振動板５は、供給された音声信号に応じた音を発する。
【００２５】
スピーカ装置１００はケース２０を備える。スピーカ装置１００はケース２０を備えなくてもよい。ケース２０は、ヨーク１、マグネット２、トッププレート３、ボイスコイル４、ボイスコイルボビン４Ｂ、振動板５、ダンパ６、エッジ７、フレーム８、センターキャップ９の全体を収納している。
【００２６】
ケース２０は、上ケース２０ａと下ケース２０ｂとよりなる。ケース２０は、例えばプラスチック樹脂によって形成されている。上ケース２０ａは、平坦部８ａに例えばねじによって固定されている。
【００２７】
上ケース２０ａ及び下ケース２０ｂは、例えば、放音方向側または放音方向とは反対側より見た面が正方形の四角柱状や円筒状等に形成されている。上ケース２０ａには、振動板５を外部に臨ませるための円形の開口２０ａ１が形成されている。上ケース２０ａは、振動板５を保護し、かつ、スピーカ１０からの音が放出されるように複数の開口が形成された天板を備えていてもよい。
【００２８】
上ケース２０ａの開口２０ａ１側の端部には、スピーカ装置１００の下端側へと突出する突出部２０ａ２が形成されている。突出部２０ａ２は、放音方向側から放音方向とは反対方向側へと伸びている。
【００２９】
ここで、図２を用いて、エッジ７の外周側端部７ｂとダンパ６の折り曲げ部６ｃとが平坦部８ａにどのように固着されているかについて説明する。
【００３０】
図２に示すように、折り曲げ部６ｃは接着剤３１によって平坦部８ａに固着されている。外周側端部７ｂは接着剤３２によって折り曲げ部６ｃに固着されている。接着剤３１及び３２としては、一般的に車載スピーカで使用されるゴム系接着剤を用いるのがよい。
【００３１】
平坦部８ａは磁気回路とは離れた位置にあり、スピーカ装置１００の外部に近い位置にあるため、温度が上昇しにくい。スピーカ装置１００が放音方向側から風が当たるような環境で使用される場合には特に、平坦部８ａの近傍は温度が上昇しにくい。よって、接着剤３１及び３２は劣化しにくい。
【００３２】
従って、折り曲げ部６ｃと平坦部８ａとの固着箇所が破損して、ダンパ６がフレーム８から剥がれてしまうおそれを低減させることができる。
【００３３】
スピーカ装置１００がケース２０を備える構成では、突出部２０ａ２と平坦部８ａとが折り曲げ部６ｃと外周側端部７ｂとを挟んでいる。よって、ケース２０を備える構成とすれば、ダンパ６がフレーム８から剥がれてしまうおそれを大幅に低減させることができる。
【００３４】
下ケース２０ｂにスピーカ装置１００を構成する各部品を収納して下ケース２０ｂに上ケース２０ａを係合させたときに、突出部２０ａ２が折り曲げ部６ｃ及び外周側端部７ｂを介して平坦部８ａを押圧することが好ましい。突出部２０ａ２が平坦部８ａを押圧するよう、ケース２０と被収納部品との大きさの関係が設定されているのがよい。
【００３５】
図１に示すスピーカ装置１００は、いわゆる内磁型のスピーカである。スピーカ装置１００を外磁型のスピーカとしてもよい。
【００３６】
以上のように、本実施形態のスピーカ装置１００によれば、スピーカ装置１００の温度が上昇してもダンパ６とフレーム８との固着箇所の破損を防ぎ、スピーカ装置１００の信頼性を向上させることができる。
【００３７】
また、信頼性の向上により、入力電圧を大きくことができるので、より大きい音量で音を発生させることができる。接着剤３１及び３２耐熱性の程度をさほど上げる必要がないため、コストダウンすることも可能である。
【００３８】
本発明は以上説明した本実施形態に限定されるものではなく、本発明の要旨を逸脱しない範囲において種々変更可能である。
【符号の説明】
【００３９】
１  ヨーク
４  ボイスコイル
４Ｂ  ボイスコイルボビン
５  振動板
６  ダンパ
６ａ  蛇腹部
６ｂ  立ち上げ部
６ｃ  折り曲げ部
７  エッジ
７ｂ  外周側端部
８  フレーム
８ａ，８ｂ  平坦部
２０  ケース
２０ａ  上ケース
２０ａ２  突出部
２０ｂ  下ケース
３１，３２  接着剤
【図１】
2017112410.tif 000003
【図２】
2017112410.tif 000004